(57)【要約】【課題】本発明は、天井意匠面のデザイン性の低下を防止しつつ、ディフューザの清掃及び交換作業をかご室内から容易に行うことができるエレベータのかご室天井装置を得ることを目的とするものである。【解決手段】かご室の天蓋１の下部中央には、中央吊天井２が設けられている。中央吊天井２の両側には、第１及び第２の端部吊天井４，５が設けられている。中央吊天井２の第１の端部吊天井４側の端部には、断面Ｌ字形のヒンジブラケット１２が奥行き方向の全長に渡って設けられている。ヒンジブラケット１２と第１の端部吊天井４との間には、複数のヒンジ１３が所定の間隔で取り付けられている。これにより、中央吊天井２は、通常位置からかご室内へ回動可能になっている。【選択図】図２
2009214980.tif 000002
【特許請求の範囲】
【請求項１】
換気用開口部が設けられている第１の天井部、
上記第１の天井部上に固定され、上記換気用開口部を覆うディフューザ、
上記第１の天井部に隣接され、照明用開口部が設けられている第２の天井部、及び
上記照明用開口部に設けられている照明板
を備え、
上記第１及び第２の天井部のいずれか一方は、通常位置からかご室内へ回動可能な可動天井部であり、
上記照明用開口部の近傍には、上記可動天井部を上記通常位置に保持する保持具が設けられており、
上記照明開用口部は、上記照明板をかご室内からずらすことにより開放可能になっていることを特徴とするエレベータのかご室天井装置。
【発明の詳細な説明】
【技術分野】
【０００１】
この発明は、かご室の天井部に通気具が設けられているエレベータのかご室天井装置に関するものである。
【背景技術】
【０００２】
従来のかご室天井装置では、かご室の天井部が上側天井と下側天井とで構成される二重天井になっており、下側天井の上面に通気具が設けられている（例えば、特許文献１参照）。
【０００３】
【特許文献１】特開２００６−２４０８２８号公報
【発明の開示】
【発明が解決しようとする課題】
【０００４】
上記のように構成された従来のかご室天井装置では、下側天井の上面に通気具が設けられているため、通気具の清掃及び交換はかご室の外から下側天井の上に移動して作業する必要があり、通気具の清掃及び交換作業に手間がかかってしまう。また、通気具を天井部の下面にねじ止めすると、かご室内にねじが露出するため、天井意匠面のデザイン性が低下してしまう。
【０００５】
この発明は、上記のような課題を解決するためになされたものであり、天井意匠面のデザイン性の低下を防止しつつ、ディフューザの清掃及び交換作業をかご室内から容易に行うことができるエレベータのかご室天井装置を得ることを目的とする。
【課題を解決するための手段】
【０００６】
この発明に係るエレベータのかご室天井装置は、換気用開口部が設けられている第１の天井部、第１の天井部上に固定され、換気用開口部を覆うディフューザ、第１の天井部に隣接され、照明用開口部が設けられている第２の天井部、及び照明用開口部に設けられている照明板を備え、第１及び第２の天井部のいずれか一方は、通常位置からかご室内へ回動可能な可動天井部であり、照明用開口部の近傍には、可動天井部を通常位置に保持する保持具が設けられており、照明用開口部は、照明板をかご室内からずらすことにより開放可能になっている。
【発明の効果】
【０００７】
この発明のエレベータのかご室天井装置は、ディフューザが固定された第１の天井部と、照明板が設けられた第２の天井部とのいずれか一方を、かご室内へ回動可能な可動天井部とし、この可動天井部を通常位置に保持する保持具を照明板の近傍に設け、かご室内から照明板をずらし保持具を取り外すことによって、可動天井部をかご室内へ回動させるようにしたので、天井意匠面のデザイン性の低下を防止しつつ、ディフューザの清掃及び交換作業をかご室内から容易に行うことができる。
【発明を実施するための最良の形態】
【０００８】
以下、この発明を実施するための最良の形態について、図面を参照して説明する。
実施の形態１．
図１はこの発明の実施の形態１によるエレベータのかご室内を示す構成図である。図１において、かご室の上部には、天蓋１が設けられている。かご室の天蓋１の下部中央には、第１の天井部としての中央吊天井２が設けられている。中央吊天井２の中央には、換気用開口部２ａが設けられている。換気用開口部２ａには、ディフューザ３が設けられている。ディフューザ３は、換気用開口部２ａを覆うように中央吊天井２の上部に取り付けられている。天蓋１の下部の中央吊天井２の両側には、第２の天井部としての第１及び第２の端部吊天井４，５が設けられている。第１及び第２の端部吊天井４，５には、照明用開口部４ａ，５ａが設けられている。これらの照明用開口部４ａ，５ａは、照明板６，７により塞がれている。照明板６，７は、かご室内から持ち上げてずらすことが可能となっており、これにより照明用開口部４ａ，５ａが開放可能となっている。  
【０００９】
図２は図１のかご室天井装置の断面図、図３は図２のＩＩＩ部を拡大して示す断面図である。天蓋１の中央には、換気装置８が設けられている。換気装置８の下部には、フィルタ９が取り付けられている。フィルタ９は、ディフューザ３の上面に対向している。換気用開口部２ａの周縁部の上面には、複数のスタッドねじ１０が固定されている。スタッドねじ１０は、ディフューザ３を貫通している。また、各スタッドねじ１０には、ナット１１が螺着されており、これによりディフューザ３が中央吊天井２に固定されている。
【００１０】
中央吊天井２の第１の端部吊天井４側の端部には、断面Ｌ字形のヒンジブラケット１２が奥行き方向の全長に渡って設けられている。ヒンジブラケット１２と第１の端部吊天井４との間には、複数のヒンジ１３が所定の間隔で取り付けられている。これにより、中央吊天井２は、通常位置（図２）からかご室内へ回動可能になっている。即ち、実施の形態１の可動天井部は、中央吊天井２である。ヒンジ１３の回転軸よりも第１の端部吊天井４側は、断面コ字状に形成されている。また、ヒンジブラケット１２は中央吊天井２が閉じたときに第１の端部吊天井４の中央吊天井２の端部の上面に重なるようになっている。
【００１１】
中央吊天井２の第２の端部吊天井５側の側部２ｂには、固定用ナット１４が固定されている。これらの固定用ナット１４には、第２の端部吊天井５の側部５ｂを貫通した保持具としての固定用摘みねじ１５が螺着されている。これにより、中央吊天井２は、通常位置に保持されている。また、中央吊天井２の側部２ｂと第２の端部吊天井５の側部５ｂとの間には隙間が設けられており、この隙間には、カラー１６が設けられている。カラー１６には、固定用摘みねじ１５が貫通している。
【００１２】
第１の端部吊天井４には、ランプソケット１７ａ，１７ｂを介してランプ１８が取り付けられている。第２の端部吊天井５には、ランプソケット１９を介してランプ２０が取り付けられている。ランプ１８，２０は、照明板６，７の真上に配置されている。
【００１３】
次に、動作について説明する。図４は中央吊天井２がかご室内に回動された状態を示す断面図、図５は図４のＶ部を拡大して示す断面図である。ディフューザ３やフィルタ９の清掃及び交換作業を行う場合、まず、かご室内から第２の端部吊天井５の照明板７をずらし、照明用開口部５ａを開放する。この後、開放された照明用開口部５ａを通して、固定用摘みねじ１５を取り外し、中央吊天井２をかご室内に回動させる。このとき、ヒンジブラケット１２は、ヒンジ１３に形成された断面コ字状の部分に入り込みながら回動される。このように、中央吊天井２がかご室内に回動されることにより、ディフューザ３を固定しているナット１１、ディフューザ３の上面及びフィルタ９がかご室内に露出され、ディフューザ３やフィルタ９の清掃及び交換作業をかご室内から行える状態となる。
【００１４】
このようなかご室天井装置では、開放された照明用開口部５ａを通して固定用摘みねじ１５をかご室内から取り外すことにより、中央吊天井２をかご室内に回動させることができるので、ディフューザ３やフィルタ９の清掃及び交換作業をかご室内から容易に行うことができる。
【００１５】
また、ディフューザ３は中央吊天井２の上面に固定されているので、化粧ビスが不要となり天井意匠面のデザイン性の低下を防止することができる。また、ディフューザ３及びフィルタ９などの盗難も防止することができる。
さらに、ヒンジブラケット１２は、中央吊天井２が閉じたときに第１の端部吊天井４の中央吊天井２側の端部の上面に重なるようになっているので、中央吊天井２と第１の端部吊天井４との間の隙間を塞ぐことができ、デザイン性の低下を防止することができる。
さらにまた、中央吊天井２の側部２ｂと第２の端部吊天井５の側部５ｂとの間に隙間が設けられているので、中央吊天井２がかご室内へ回動するときに側部２ｂが側部５ｂに干渉するのを防止することができる。
【００１６】
実施の形態２．
次に、図６はこの発明の実施の形態２によるかご室天井装置の断面図、図７は図６のＶＩＩ部を拡大して示す断面図である。図６において、天蓋１と第１の端部吊天井４の反中央吊天井２側の上面との間には、複数のヒンジ１３が所定の間隔で取り付けられている。また、天蓋１と第２の端部吊天井５の反中央吊天井２側の上面との間にも、複数のヒンジ１３が所定の間隔で取り付けられている。これにより、第１及び第２の端部吊天井４，５は、通常位置（図６）からかご室内へ回動可能になっている。即ち、実施の形態２の可動天井部は、第１及び第２の端部吊天井４，５である。
【００１７】
中央吊天井２には、換気用開口部２ａを挟んで互いに対向する一対のディフューザ支持部２ｄ，２ｅが設けられている。ディフューザ３の上部には、ディフューザ支持部２ｄ，２ｅに対向する複数の取付部２１が固定されている。また、各取付部２１には、ディフューザ支持部２ｄ，２ｅを貫通した止めビス２２が螺着されており、これによりディフューザ３が中央吊天井２に固定されている。
【００１８】
中央吊天井２の第１の端部吊天井４側の側部２ｃには、固定用ナット１４が固定されている。この固定用ナット１４には、第１の端部吊天井４の側部４ｂを貫通した保持具としての固定用摘みねじ１５が螺着されている。また、中央吊天井２の第２の端部吊天井５側の側部２ｂにも、固定用ナット１４が固定されている。この固定用ナット１４には、第２の端部吊天井５の側部５ｂを貫通した固定用摘みねじ１５が螺着されている。これにより、第１及び第２の端部吊天井４，５は、通常位置に保持されている。
【００１９】
中央吊天井２の側部２ｃと第１の端部吊天井４の側部４ｂとには、逃がし孔２３が設けられている。また、中央吊天井２の側部２ｂと第２の端部吊天井５の側部５ｂとにも、逃がし孔２３が設けられており、逃がし孔２３から締結用工具（図示せず）を挿入して止めビス２２の着脱作業をすることが可能となっている。他の構成は、実施の形態１と同様である。
【００２０】
次に、動作について説明する。図８は第１及び第２の端部吊天井４，５がかご室内に回動された状態を示す断面図、図９は図８のＩＸ部を拡大して示す断面図である。ディフューザ３やフィルタ９の清掃及び交換作業を行う場合、まず、かご室内から第１及び第２の端部吊天井４，５の照明板６，７をずらし、照明用開口部４ａ，５ａを開放する。この後、開放された照明用開口部４ａ，５ａを通して、固定用摘みねじ１５を取り外し、第１及び第２の端部吊天井４，５をかご室内に回動させる。そして、逃がし孔２３から締結用工具を挿入して止めビス２２を回転させることにより、止めビス２２を取付部２１から取り外す。このように、中央吊天井２とディフューザ３とを固定している止めビス２２を取り外すことにより、ディフューザ３を中央吊天井２から取り外すことができる。これにより、ディフューザ３やフィルタ９の清掃及び交換作業をかご室内から行える状態となる。
【００２１】
このようなかご室天井装置では、開放された照明用開口部４ａ，５ａを通して固定用摘みねじ１５をかご室内から取り外すことにより、第１及び第２の端部吊天井４，５をかご室内に回動させることができ、これにより、逃がし孔２３から締結用工具を挿入して止めビス２２を取付部２１から取り外すことができるので、ディフューザ３やフィルタ９の清掃及び交換作業をかご室内から容易に行うことができる。
【００２２】
また、ディフューザ３は中央吊天井２の上面に設けられているので、化粧ビスが不要となりデザイン性の低下を防止することができる。また、ディフューザ３及びフィルタ９などの盗難も防止することができる。
さらに、ヒンジ１３の回動する軸心が第１及び第２の端部吊天井４，５の上面よりも上方に設けられているので、第１及び第２の端部吊天井４，５をかご室内に回動させるときに、第１及び第２の端部吊天井４，５が中央吊天井２の側部２ｂ，２ｃに干渉するのを防止することができる。
【００２３】
なお、第１及び第２の天井部の数や位置関係は、上記の例に限定されない。例えば、第１及び第２の天井部はそれぞれ１つずつであってもよい。
【図面の簡単な説明】
【００２４】
【図１】この発明の実施の形態１によるエレベータのかご室内を示す構成図である。
【図２】図１のかご室天井装置を示す断面図である。
【図３】図２のＩＩＩ部を拡大して示す断面図である。
【図４】中央吊天井が回動した状態を示す断面図である。
【図５】図４のＶ部を拡大して示す断面図である。
【図６】この発明の実施の形態２によるかご室天井装置である。
【図７】図６のＶＩＩ部を拡大して示す断面図である。
【図８】第１及び第２の端部吊天井が回動した状態を示す断面図である。
【図９】図８のＩＸ部を拡大して示す断面図である。
【符号の説明】
【００２５】
２  中央吊天井（第１の天井部）、２ａ  換気用開口部、３  ディフューザ、４  第１の端部吊天井（第２の天井部）、５  第２の端部吊天井（第２の天井部）、４ａ，５ａ  照明用開口部、６，７  照明板、１５  固定用摘みねじ（保持具）。
【図１】
2009214980.tif 000003
【図２】
2009214980.tif 000004
【図３】
2009214980.tif 000005
【図４】
2009214980.tif 000006
【図５】
2009214980.tif 000007
【図６】
2009214980.tif 000008
【図７】
2009214980.tif 000009
【図８】
2009214980.tif 000010
【図９】
2009214980.tif 000011